(57)【要約】【課題】従来のサイクロン型電気掃除機では、旋回室と集塵室の間にある切欠穴のガイドより内側部分が、排気筒にごく近いため、塵埃が逆流して集塵室から出た場合、塵埃が排気筒から外部へ出やすいという課題があった。【解決手段】旋回室２１は、底に集塵室２２側へ下降する傾斜面３１ａが形成され、傾斜面に一端を接し連通口３０を上下に区画する分流板３２を有し、分流板により連通口の上側区画を流入経路３３とし下側区画を流出経路３４として形成する構成とした。これにより、集塵室２２に入った塵埃が流出経路３４を経て旋回室２１に戻ってしまった場合、塵埃は再び旋回室２１の旋回流に乗り、再度、流入経路３３を経由し集塵室２２に入り、万が一塵埃が流出しても再び旋回気流に乗るため排気筒２６から外に流出することのない電気掃除機を提供することができる。【選択図】図５
2013027446.tif 000002
【特許請求の範囲】
【請求項１】
吸引力を発生させる電動送風機と、
前記電動送風機の上流側に設置され前記電動送風機により吸引した塵埃を含む空気を旋回させ塵埃を分離する略円筒状の旋回室と、
前期旋回室の下方に位置し前記旋回室で分離した塵埃をためる略円筒状の集塵室と、
前記旋回室の外周方向に、含塵空気を吸引するための吸気口と、
前記旋回室の中心付近には、外周面に通気部を備え塵埃を分離した空気を排気するための排気筒と、
前記排気筒の風下側に配し、前記排気筒から排気される空気から細塵を濾過するフィルタと、
前記旋回室と前記集塵室とは、互いの中心軸が水平方向に平行にずらされ、高さ方向に一部が重なり合うように配置され、
前記高さ方向の重なりにより、前記旋回室内に露出した前記集塵室の側壁部には、連通口を有し、
前記旋回室を旋回する含塵空気が前記旋回室外周の内壁面に沿いながら前記連通口を通って前記集塵室へ流入する構成とし、
前記旋回室は、底面に前記集塵室側へ下降する傾斜面が形成され、前記傾斜面に一端を接し前記連通口を上下に区画する分流板を有し、
前記分流板により前記連通口の上側区画を流入経路とし下側区画を流出経路として形成した電気掃除機。
【発明の詳細な説明】
【技術分野】
【０００１】
本発明は、電気掃除機のサイクロン集塵装置に関するものである。
【背景技術】
【０００２】
従来この種のサイクロン型電気掃除機として、旋回室と集塵室の連通口にガイドを設ける構成としたものがある（例えば、特許文献１参照）。
図６は、特許文献１に記載された従来の電気掃除機の旋回室１および集塵室２部分の構成図である。旋回室１の下部に集塵室２を有し、旋回室１と集塵室２は仕切板３により仕切られている。また旋回室１の略中央には周囲外壁に多数の通気口の開いた排気筒５が配置されており、集塵室内に張り出した排気通路６を経由して図示しない電動送風機へ連通している。仕切板３には、切欠穴７が設けられており、切欠穴７の風下側の縁の旋回室１側にガイド８を設けている。
【０００３】
ここで、吸気口４から吸込まれた含塵空気は旋回室１内で旋回し、そのとき塵埃は遠心力により旋回室１の外側に飛ばされる。旋回室１の外側を旋回している塵埃はガイド８によって切欠穴７の外側から集塵室２へ入る。そして、集塵室２で旋回力を失った塵埃は集塵室２底にたまり、空気は切欠穴７のガイド８より内側を通って旋回室１へ戻り、排気筒５と排気通路６を経由して外部へ放出される。
【先行技術文献】
【特許文献】
【０００４】
【特許文献１】特開２００８−１７８７４７号公報
【発明の概要】
【発明が解決しようとする課題】
【０００５】
しかしながら、上記従来の電気掃除機では、切欠穴７と、ガイド８、排気筒５が同じ高さにあるため、塵埃が逆流して集塵室から出た場合、切欠穴７のガイド８より内側が、排気筒５にごく近いため、塵埃が排気筒から外部へ出やすいという課題があった。
【０００６】
本発明は、前記従来の課題を解決するもので、流入経路と流出経路を分離したので流出気流に塵埃が乗り難く、また、流出経路の方が排気筒より低く位置しているので万一塵埃が流出しても再び旋回気流に乗るため排気筒から外に流出することのない電気掃除機を提供することができる。
【課題を解決するための手段】
【０００７】
上記従来の課題を解決するために、本発明の電気掃除機は、
吸引力を発生させる電動送風機と、
前記電動送風機の上流側に設置され前記電動送風機により吸引した塵埃を含む空気を旋回させ塵埃を分離する略円筒状の旋回室と、
前期旋回室の下方に位置し前記旋回室で分離した塵埃をためる略円筒状の集塵室と、
前記旋回室の外周方向に、含塵空気を吸引するための吸気口と、
前記旋回室の中心付近には、外周面に通気部を備え塵埃を分離した空気を排気するための排気筒と、
前記排気筒の風下側に配し、前記排気筒から排気される空気から細塵を濾過するフィルタと、
前記旋回室と前記集塵室とは、互いの中心軸が水平方向に平行にずらされ、高さ方向に一部が重なり合うように配置され、
前記高さ方向の重なりにより、前記旋回室内に露出した前記集塵室の側壁部には、連通口を有し、
前記旋回室を旋回する含塵空気が前記旋回室外周の内壁面に沿いながら前記連通口を通って前記集塵室へ流入する構成とし、
前記旋回室は、底面に前記集塵室側へ下降する傾斜面が形成され、前記傾斜面に一端を接し前記連通口を上下に区画する分流板を有し、
前記分流板により前記連通口の上側区画を流入経路とし下側区画を流出経路として形成する構成とした。
【０００８】
これにより、吸気口より流入した含塵空気は、吸気口より斜め下方に旋回室を旋回しながら底面に達し分流板の上の流入経路から連通口へと進入し、そのまま延長して、集塵室内を斜め下方に旋回しながら集塵室の底位置まで流れていく。そして、塵埃は、集塵室の底部分でそのまま旋回し続け、塵埃を分離した気流は旋回しながら上昇し、連通口の分流板の下の流出経路を通り抜けて旋回室へと戻り、旋回室を旋回しながら、排気筒の通気部を抜けて第２集塵ケースへと流れていく。従って、塵埃が集塵室から流出しても排気筒に達する前に再び旋回気流に乗るため排気筒から外に流出することのない電気掃除機を提供することができる。
【発明の効果】
【０００９】
本発明の電気掃除機は、流入経路と流出経路を分離したので流出気流に塵埃が乗り難く、また、流出経路が排気筒より低く位置していて段差があるので、万一塵埃が集塵室から流出しても排気筒に達する前に再び旋回気流に乗るため排気筒から外に流出することのない電気掃除機を提供することができる。
【図面の簡単な説明】
【００１０】
【図１】本発明の実施の形態１の電気掃除機における集塵装置の要部斜視図
【図２】同、電気掃除機における集塵装置の要部側面断面図
【図３】同、電気掃除機における集塵装置の別角度から見た要部側面断面図
【図４】同、電気掃除機における集塵装置の要部平面断面図
【図５】同、電気掃除機における集塵装置の塵埃の流れを示す模式図
【図６】従来の電気掃除機における集塵装置の要部側面断面図
【発明を実施するための形態】
【００１１】
第１の発明は、
吸引力を発生させる電動送風機と、
前記電動送風機の上流側に設置され前記電動送風機により吸引した塵埃を含む空気を旋回させ塵埃を分離する略円筒状の旋回室と、
前期旋回室の下方に位置し前記旋回室で分離した塵埃をためる略円筒状の集塵室と、
前記旋回室の外周方向に、含塵空気を吸引するための吸気口と、
前記旋回室の中心付近には、外周面に通気部を備え塵埃を分離した空気を排気するための排気筒と、
前記排気筒の風下側に配し、前記排気筒から排気される空気から細塵を濾過するフィルタと、
前記旋回室と前記集塵室とは、互いの中心軸が水平方向に平行にずらされ、高さ方向に一部が重なり合うように配置され、
前記高さ方向の重なりにより、前記旋回室内に露出した前記集塵室の側壁部には、連通口を有し、
前記旋回室を旋回する含塵空気が前記旋回室外周の内壁面に沿いながら前記連通口を通って前記集塵室へ流入する構成とし、
前記旋回室は、底面に前記集塵室側へ下降する傾斜面が形成され、前記傾斜面に一端を接
し前記連通口を上下に区画する分流板を有し、
前記分流板により前記連通口の上側区画を流入経路とし下側区画を流出経路として形成する構成とした。
これにより、吸気口より流入した含塵空気は、吸気口より斜め下方に旋回室を旋回しながら底面に達し分流板の上の流入経路から連通口へと進入し、そのまま延長して、集塵室内を斜め下方に旋回しながら集塵室の底位置まで流れていく。そして、塵埃は、集塵室の底部分でそのまま旋回し続け、塵埃を分離した気流は旋回しながら上昇し、連通口の分流板の下の流出経路を通り抜けて旋回室へと戻り、旋回室を旋回しながら、排気筒の通気部を抜けて第２集塵ケースへと流れていく。
そして、特に、万一集塵室に入った塵埃が連通口と流出経路を経て旋回室に戻ってしまった場合、塵埃は再び旋回室の旋回流に乗り、再度流入経路を経由し連通口から集塵室に入る。従って、万一塵埃が流出しても再び旋回気流に乗るため排気筒から外に流出することのない電気掃除機を提供することができる。
【００１２】
以下、本発明の実施の形態について、図面を参照しながら説明する。なお本実施の形態によって本発明が限定されるものではない。
【００１３】
（実施の形態１）
本発明の第１の実施の形態における電気掃除機について図を用いて説明する。
図１は本発明の第１の実施の形態における電気掃除機のサイクロン集塵装置の外観斜視図である。図２は同要部側面断面図、図３は別の角度から見た要部側面断面図である。図４は要部平面断面図（図２中のＡ−Ａ断面）である。
【００１４】
図１に示すように、サイクロン集塵装置は、塵埃を含む空気を取り入れ旋回気流を発生させる旋回室２１、および塵埃をためる集塵室２２から成る集塵ケース２３と、第２の塵埃分離手段を内包し集塵ケース２３の上方に配され、集塵ケース２３ならびに電動送風機（図示せず）を内蔵した掃除機本体（図示せず）とに連結される第２集塵ケース２４とで構成している。
【００１５】
集塵ケース２３の旋回室２１は、略円筒形状の外郭内周面に対して接線方向となるように取り付けた吸引通路を有する吸気口２５と、略中心には第２集塵ケース２４に連通する略円筒状の排気筒２６を配している。
【００１６】
この排気筒２６の外周側面にはメッシュフィルタやエッチングフィルタ等の濾過フィルタによる通気部２７を構成しており、粗塵が第２集塵ケース側２４へと確実に通り抜けないようにしている。
【００１７】
図２に示すように、旋回室２１では、吸気口２５と排気筒２６との位置関係、ならびに吸気口２５を旋回室２１の外郭内周面に接線方向となる向きで配置しているため、吸気口２５より流入した含塵空気は、旋回室２１外郭の内壁面に沿って旋回する流れとなる。排気筒２６の内側空間は、第２集塵ケース２４に連通しており、排気筒２６の通気部２７を通過した空気は、第２集塵ケース２４へと流れていく。
【００１８】
次に、集塵室２２は、図２から４に示すように、旋回室２１の内径とほぼ同等、もしくは幾分小さい内径とした略円筒形状の筒体であり、旋回室２１の下方にそれぞれの中心軸を水平方向に平行にズラした位置で配置させており、かつ、高さ方向において、集塵室２の上端の一部を旋回室２１の内部に入り込むように構成としている。
つまり、旋回室２１と集塵室２２とが重なり合う部分は、図４に示すように、旋回室２１側が凹状となり、集塵室２２側は略円筒形状となる隔壁２８を設けている。
【００１９】
旋回室２１の外郭内壁面と集塵室２２の外郭内壁面とが交差する部分において、その一方には、互いの内周円に接するように直線状の壁２９を設けており、そして、隔壁２８の側面部分には、旋回室２１の外郭内壁面と交わる片側端部付近に連通口３０を設けている。また、旋回室２１の底面３１は、集塵室２２側に向かって傾斜した傾斜面３１ａを有している。そして連通口３０の旋回室２１側には分流板３２が設けられており、その分流板３２により連通口３０は上下に２分されており、その分流板３２の連通口３０とは逆の端部は傾斜した傾斜面３１ａに接合されている。ここで、分流板の上側が流入経路３３、分流板３２の下側が流出経路３４となる。
【００２０】
旋回室２１の吸気口２５、排気筒２６の通気部２７、および旋回室２１と集塵室２２とが連通する連通口３０とは、図５に示すように、上から順に高さ位置をズラした配置としており、これにより、吸気口２５より流入した含塵空気は、吸気口２５より斜め下方に旋回室２１を旋回しながら傾斜面３１ａに達し分流板３２の上の流入経路３３から連通口３０へと進入し、そのまま延長して、集塵室２２内を斜め下方に旋回しながら集塵室２２の底位置まで流れていく。
【００２１】
そして、塵埃は、集塵室２２の底部分でそのまま旋回し続け、塵埃を分離した気流は旋回しながら上昇し、連通口３０の分流板３２の下の流出経路３４を通り抜けて旋回室２１へと戻り、旋回室２１を旋回しながら、排気筒２６の通気部２７を抜けて第２集塵ケース２４へと流れていく。
【００２２】
ここで、集塵室２２内では、粗塵がその重みにより底位置で旋回し続けると、絡まり合いながらマリモのようになり、そこに細塵も一緒に絡まり合うため、それによっても粗塵と細塵が絡まり合った塵埃と空気とが分離される。
【００２３】
従来のサイクロン構成では、旋回室２１と集塵室２２とを同軸上に配置させることが一般的であるが、旋回室２１と集塵室２２とを平行にズラした状態としても、旋回室２１と集塵室２２とが上下となる配置、つまり、斜め上下方向の位置関係とすることで、一般的なサイクロンの気流と類似した遠心旋回気流を形成することができるようになる。
【００２４】
その後、排気筒２６を通過した空気は、第２集塵ケース２４へと流れる。第２集塵ケース２４内には、第２の塵埃分離手段として不織布のフィルタ３６をプリーツ状に折ったものを配置し、排気筒２６から抜けてきた微小な細塵をこの不織布のフィルタ３６にて濾過し、きれいになった空気のみが不織布のフィルタ３６を通過して、電動送風機へと導かれる。
【００２５】
以上説明したように、塵埃は集塵室に集積され塵埃を分離した空気だけが旋回室に戻り外部へ放出されるのであるが、特に、万が一、集塵室２２に入った塵埃が連通口３０と流出経路３４を経て旋回室２１に戻ってしまった場合、図４に示す経路Ｂのような塵埃の流れが予想される。しかし、旋回室２１には旋回流があるため、塵埃は再び旋回流に乗り経路Ｃのように再度、流入経路３３を経由し連通口３０から集塵室２２に入る。従って、万一塵埃が流出しても再び旋回気流に乗るため排気筒から外に流出することのない電気掃除機を提供することができる。
【産業上の利用可能性】
【００２６】
以上のように、本発明にかかる集塵装置は、流入経路３３と流出経路３４を分離したので流出気流に塵埃が乗り難く、また、流出経路３４が排気筒２６より低く位置していて段差があるので、万一塵埃が集塵室２２から流出しても排気筒２６に達する前に再び旋回気流に乗るため排気筒２６から外に流出することのない電気掃除機を提供することができるため、業務用の集塵装置にも応用可能である。
【符号の説明】
【００２７】
２１  旋回室
２２  集塵室
２５  吸気口
２６  排気筒
２８  隔壁
２９  壁
３０  連通口
３１  底面
３１ａ  傾斜面
３２  分流板
３３  流入経路
３４  流出経路
３６  フィルタ
【図１】
2013027446.tif 000003
【図２】
2013027446.tif 000004
【図３】
2013027446.tif 000005
【図４】
2013027446.tif 000006
【図５】
2013027446.tif 000007
【図６】
2013027446.tif 000008